(57)【特許請求の範囲】
【請求項１】
人体に装着可能な電気光学装置であって、
画素及び前記画素を駆動する駆動回路を有する表示部と、
前記表示部を収納するパネルケースと、
前記パネルケースを収納する外装ケースと、を含み、
前記外装ケースは、第１の壁と、第３の壁と、第２の壁と、を有し、
前記第１の壁は、前記人体に対する接触面を有し、
前記パネルケースは、前記第２の壁と前記第３の壁との間に配置され、
前記第１の壁と前記第３の壁との間の距離及び前記第３の壁と前記パネルケースとの間の距離の合計は、前記第２の壁と前記パネルケースとの間の距離よりも大きいことを特徴とする電気光学装置。
【請求項２】
前記第１の壁と前記第３の壁との間、前記第３の壁と前記パネルケースとの間、及び前記第２の壁と前記パネルケースとの間には、大気圧の空気または減圧された空気のいずれかが充填されていることを特徴とする請求項１に記載の電気光学装置。
【請求項３】
前記外装ケースの熱伝導率は、前記パネルケースの熱伝導率よりも小さいことを特徴とする請求項１又は２に記載の電気光学装置。
【請求項４】
請求項１乃至３のいずれか１項に記載の電気光学装置を有していることを特徴とする電子機器。
【発明の詳細な説明】
【技術分野】
【０００１】
本発明は、電気光学装置、及び当該電気光学装置を搭載した電子機器に関する。
【背景技術】
【０００２】
人体の頭部に装着して画像を観察するヘッドマウントディスプレイ（ＨＭＤ）は、小型軽量で持ち運びができるという利便性に優れ、例えば左眼と右眼とにそれぞれ対応させた映像により立体的な表示を提供することができる。例えば、特許文献１には、外界の映像（外界像）を妨げず、画像光を重ねて表示するシースルー機能を有するＨＭＤが提案されている。
【０００３】
特許文献１に記載のＨＭＤは、映像表示装置と投射透視装置とを備え、映像表示装置は装着者の側頭部に接するように配置される。
映像表示装置は、自発光型の有機エレクトロルミネッセンス表示装置を備えている。有機エレクトロルミネッセンス表示装置は、発光素子としての有機エレクトロルミネッセンス素子や、有機エレクトロルミネッセンス素子を駆動する駆動回路などを備えている。当該有機エレクトロルミネッセンス素子は、陽極と、陰極と、これらの電極で挟まれた発光機能層などを有し、陽極と陰極との間に電流を流すと、発光機能層が発光する。
かかる構成によって映像表示装置は、動画像などの表示対象となる画像光を、投射透視装置の側に出力する。
投射透視装置は、導光部材やプリズムなどを備え、映像表示装置から発せられた画像光と外界像の光とを装着者の側に誘導する。
【先行技術文献】
【特許文献】
【０００４】
【特許文献１】特開２０１３−２００５５４号公報
【発明の概要】
【発明が解決しようとする課題】
【０００５】
しかしながら、有機エレクトロルミネッセンス素子は、陽極と陰極との間に流れる電流によって発熱する。駆動回路は、複数の有機エレクトロルミネッセンス素子に流れる電流の全体を制御するため、単体の有機エレクトロルミネッセンス素子と比べて大きな電流が流れ、大きく発熱する。つまり、特許文献１に記載のＨＭＤは、動画像などの表示対象となる画像光を出力する際に、有機エレクトロルミネッセンス素子や駆動回路が発熱し、映像表示装置の温度が上昇するという課題を有している。また、温度上昇に伴い、使用時の装着感（快適性）が損なわれ兼ねないという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る電気光学装置は、人体に装着可能な電気光学装置であって、画素及び前記画素を駆動する駆動回路を有する表示部と、前記表示部を収納するパネルケースと、前記パネルケースを収納する外装ケースと、を含み、前記外装ケースは、第１の壁と、第２の壁と、を有し、前記第１の壁は、前記人体に対する接触面を有し、前記パネルケースは、前記第１の壁と前記第２の壁との間に配置され、前記第１の壁と前記パネルケースとの間の距離は、前記第２の壁と前記パネルケースとの間の距離よりも大きいことを特徴とする。
【０００８】
例えば、人体に対する接触面からパネルケースに向かう第１の方向に、第１の壁と第２の壁とが順に配置され、第１の壁は人体に対する接触面（接触面）を有している。さらに、パネルケースは、第１の壁と第２の壁との間に配置されている。よって、接触面とパネルケースとの間には、第１の壁とパネルケースとの間に形成される空間が配置される。さらに、パネルケースを第２の壁から離間して配置すると、パネルケースと第２の壁との間に空間が配置される。
【０００９】
第１の壁とパネルケースとの間の距離は第２の壁とパネルケースとの間の距離よりも大きい、すなわち第１の壁（接触面）とパネルケースとの間には、第２の壁とパネルケースとの間よりも大きな空間が配置され、第２の壁とパネルケースとの間の空間と比べて、第１の壁とパネルケースとの間の空間の断熱性が高められている。よって、第１の壁（接触面）とパネルケースとの間に、第２の壁とパネルケースとの間の空間と同じ大きさの空間を配置する場合、または第２の壁とパネルケースとの間との空間よりも小さい空間を配置する場合と比べて、パネルケースの熱が第１の壁（接触面）に伝達（伝搬）されにくく、接触面の温度が上昇しにくい。これにより、頭部に装着して使用する際に、温度上昇による不快感を抑制することが可能となり、装着感を損なうことなく、快適性を確保することができる。
【００１０】
［適用例２］上記適用例に記載の電気光学装置において、前記第１の壁と前記パネルケースとの間、及び前記第２の壁と前記パネルケースとの間には、大気圧の空気または減圧された空気のいずれかが充填されていることが好ましい。
【００１１】
第１の壁とパネルケースとの間の空間に大気圧の空気または減圧された空気を充填することで、例えば液体や固体を充填する場合と比べて、当該空間の軽量化を図り、且つ当該空間の断熱性を高めることができる。同様に、第２の壁とパネルケースとの間の空間に大気圧の空気または減圧された空気を充填することで、例えば液体や固体を充填する場合と比べて、当該空間の軽量化を図り、且つ当該空間の断熱性を高めることができる。
【００１２】
［適用例３］上記適用例に記載の電気光学装置において、前記第１の壁と前記パネルケースとの間の距離は１２ｍｍ以下であり、前記第２の壁と前記パネルケースとの間の距離は０ｍｍ以上であることが好ましい。
【００１３】
第１の壁とパネルケースとの間の距離を１２ｍｍ以下にすると、第１の壁とパネルケースとの間の空間で対流が生じにくくなり、空気の対流（空気の循環）による熱の伝達を抑制することができる。すなわち、パネルケースの熱が、空気の対流によって第１の壁に伝達されにくくなる。
第２の壁とパネルケースとの間の距離を０ｍｍよりも大きくし、第２の壁とパネルケースとの間に空間を設けることによって、パネルケースの熱が第２の壁に伝達されにくくなる。さらに、第２の壁とパネルケースとの間の距離を０ｍｍとし第２の壁がパネルケースに接した場合でも、第２の壁は接触面を有していないので、パネルケースの熱の接触面への影響は小さい。また、第２の壁とパネルケースとの間の距離を０ｍｍとすることで、第１の壁と第２の壁との間の距離を小さくし、外装ケースの薄型化を図ることができる。
【００１４】
［適用例４］本適用例に係る電気光学装置は、人体に装着可能な電気光学装置であって、画素及び前記画素を駆動する駆動回路を有する表示部と、前記表示部を収納するパネルケースと、前記パネルケースを収納する外装ケースと、を含み、前記外装ケースは、第１の壁と、第３の壁と、第２の壁と、を有し、前記第１の壁は、前記人体に対する接触面を有し、前記パネルケースは、前記第２の壁と前記第３の壁との間に配置され、前記第１の壁と前記第３の壁との間の距離及び前記第３の壁と前記パネルケースとの間の距離の合計は、前記第２の壁と前記パネルケースとの間の距離よりも大きいことを特徴とする。
【００１５】
例えば、人体に対する接触面からパネルケースに向かう第１の方向に、第１の壁と第３の壁と第２の壁とが順に配置され、第１の壁は人体に対する接触面（接触面）を有している。さらに、パネルケースは、第２の壁と第３の壁との間に配置されている。よって、接触面とパネルケースとの間には、第１の壁と第３の壁との間に形成された空間と、第３の壁とパネルケースとの間に形成された空間とが配置される。さらに、パネルケースを第２の壁から離間して配置すると、パネルケースと第２の壁との間にも空間が配置される。
【００１６】
第１の壁と第３の壁との間の距離、及び第３の壁とパネルケースとの間の距離の合計は、第２の壁とパネルケースとの間の距離よりも大きい。すなわち、第２の壁とパネルケースとの間の空間と比べて、第１の壁とパネルケースとの間の空間の断熱性が高められている。よって、第１の壁（接触面）とパネルケースとの間に、第２の壁とパネルケースとの間の空間と同じ大きさの空間を配置する場合、または第２の壁とパネルケースとの間との空間よりも小さい空間を配置する場合と比べて、パネルケースの熱が第１の壁（接触面）に伝達（伝搬）されにくく、接触面の温度が上昇しにくい。
【００１７】
［適用例５］上記適用例に記載の電気光学装置において、前記第１の壁と前記第３の壁との間、前記第３の壁と前記パネルケースとの間、及び前記第２の壁と前記パネルケースとの間には、大気圧の空気または減圧された空気のいずれかが充填されていることが好ましい。
【００１８】
第１の壁と第３の壁との間の空間に、大気圧の空気または減圧された空気を充填することで、例えば液体や固体を充填する場合と比べて、当該空間の軽量化を図り、且つ当該空間の断熱性を高めることができる。同様に、第３の壁とパネルケースとの間の空間に、大気圧の空気または減圧された空気を充填することで、例えば液体や固体を充填する場合と比べて、当該空間の軽量化を図り、且つ当該空間の断熱性を高めることができる。同様に、第２の壁とパネルケースとの間の空間に、大気圧の空気または減圧された空気を充填することで、例えば液体や固体を充填する場合と比べて、当該空間の軽量化を図り、且つ当該空間の断熱性を高めることができる。
【００１９】
［適用例６］本適用例に係る電気光学装置は、人体に装着可能な電気光学装置であって、画素及び前記画素を駆動する駆動回路を有する表示部と、前記表示部を収納するパネルケースと、前記パネルケースを収納し、人体に対する接触面を有する外装ケースと、を含み、前記接触面は、前記パネルケースから少なくとも一つの空間を置いて配置されていることを特徴とする。
【００２０】
本適用例に係る電気光学装置は、画像光を出力する表示部や、表示部を収納するパネルケースや、パネルケースを収納する外装ケースなどを備えている。画素や駆動回路に電流を流して画像光を出力すると、当該電流によって画素や駆動回路が発熱し、表示部の温度が上昇する。さらに、画素や駆動回路で発せられた熱は、パネルケースに伝達され、パネルケースの温度も上昇する。人体に対する接触面（接触面）は、パネルケースから少なくとも一つの空間を置いて配置されている。空間とは、気体が充填された領域であり、固体や液体と比べて熱を伝達（伝搬）しにくい断熱性に優れた領域である。つまり、接触面とパネルケースとの間には、断熱性に優れた領域（空間）が配置されている。
従って、表示部の画素や駆動回路で発した熱は、接触面の側に伝達（伝搬）されにくく、接触面の温度が上昇しにくい。
【００２１】
［適用例７］上記適用例に記載の電気光学装置において、前記空間には、大気圧の空気または減圧された空気のいずれかが充填されていることが好ましい。
【００２２】
接触面とパネルケースとの間に配置された空間に、大気圧の空気または減圧された空気を充填することで、例えば液体や固体を充填する場合と比べて、当該空間の軽量化を図り、且つ当該空間の断熱性を高めることができる。
【００２３】
［適用例８］上記適用例に記載の電気光学装置において、前記外装ケースの熱伝導率は、前記パネルケースの熱伝導率よりも小さいことが好ましい。
【００２４】
外装ケースの熱伝導率は、パネルケースの熱伝導率よりも小さく、熱が伝導されにくい。よって、画素や駆動回路で発した熱は、外装ケース（接触面）に伝達（伝搬）されにくく、接触面の温度が上昇しにくい。
パネルケースの熱伝導率は、外装ケースの熱伝導率よりも大きく、熱が伝導されやすい。よって、表示部の画素や駆動回路で発した熱を、パネルケースを経由して熱の放熱部に効率的に伝達することができる。
【００２５】
［適用例９］本適用例に係る電子機器は、上記適用例に記載の電気光学装置を有していることを特徴とする。
【００２６】
［適用例１０］本適用例に係る電気光学装置は、人体に装着可能な電気光学装置であって、画素及び画素を駆動する駆動回路を有する表示部と、前記表示部を収納するパネルケースと、前記パネルケースを収納する外装ケースと、を含み、前記外装ケースは、第１の壁と、第２の壁と、を有し、前記第１の壁は、前記人体側に位置しており、前記パネルケースは、前記第１の壁と前記第２の壁との間に配置され、前記第１の壁と前記パネルケースとの間の距離は、前記第２の壁と前記パネルケースとの間の距離よりも大きいことを特徴とする電気光学装置。
【００２７】
上記適用例に記載の電気光学装置は、接触面の温度上昇が抑制される。従って、本適用例に係る電子機器に当該電気光学装置を適用すると、接触面の温度上昇が抑制され、例えば温度上昇による不快感を抑制することができる。例えば、ヘッドマウントディスプレイ、ウエアラブルコンピューター、ウエアラブルフォン、ウエアラブルウオッチなどの人体に着脱可能な電子機器の表示部に当該電気光学装置を適用することで、優れた電子機器を提供することができる。
【図面の簡単な説明】
【００２８】
【図１】実施形態１に係る虚像表示装置の使用形態を示す図。
【図２】実施形態１に係る虚像表示装置の構成を示す概略図。
【図３】外装ケースで覆われた部分の状態を示す概略図。
【図４】画像表示装置（有機エレクトロルミネッセンス表示装置）の概略平面図。
【図５】有機エレクトロルミネッセンス表示装置の電気的な構成を示す等価回路図。
【図６】実施形態１に係る虚像表示装置の第１の画像形成装置が設けられた側の状態を示す模式図。
【図７】実施形態２に係る虚像表示装置の第１の画像形成装置が設けられた側の状態を示す模式図。
【図８】変形例１に係る虚像表示装置の第１の画像形成装置が設けられた側の状態を示す模式図。
【図９】変形例２に係る虚像表示装置の第１の画像形成装置が設けられた側の状態を示す模式図。
【図１０】変形例２に係る虚像表示装置の第１の画像形成装置が設けられた側の状態を示す模式図。
【発明を実施するための形態】
【００２９】
以下、図面を参照して、本発明の実施形態について説明する。かかる実施形態は、本発明の一態様を示すものであり、この発明を限定するものではなく、本発明の技術的思想の範囲内で任意に変更可能である。また、以下の各図においては、各層や各部位を図面上で認識可能な程度の大きさとするため、各層や各部位の縮尺を実際とは異ならせしめてある。
【００３０】
（実施形態１）
「虚像表示装置の概要」
実施形態１に係る虚像表示装置１００は、本発明における「電子機器」の一例であり、眼鏡のような外観を有し、人体の頭部に装着するヘッドマウントディスプレイ（ＨＭＤ）である。
図１は、本実施形態に係る虚像表示装置の使用形態を示す図である。図２は、本実施形態に係る虚像表示装置の構成を示す概略図である。図３は、外装ケースで覆われた部分の状態を示す概略図（分解斜視図）である。図３では、外装ケース１３の図示が省略されている。
以下に、図１乃至図３を参照して、虚像表示装置１００の概要を説明する。
【００３１】
図１に示すように、虚像表示装置１００は、装着者Ｍの頭部に装着して使用される。虚像表示装置１００はシースルー機能を有しており、装着者Ｍは、虚像表示装置１００の画像光による虚像と、外界光による外界像（実像）とを同時に観察することができる。
【００３２】
図２に示すように、虚像表示装置１００は、装着者Ｍの眼前を透視可能に覆う第１光学パネル１１１及び第２光学パネル１１２と、第１の画像形成装置１０及び第２の画像形成装置９と、筐体１２１とを備える。
なお、第１の画像形成装置１０及び第２の画像形成装置９は、人体に装着可能な表示装置であり、本発明における「電気光学装置」の一例である。
【００３３】
第１光学パネル１１１及び第２光学パネル１１２は、装着者Ｍの顔面に沿うように湾曲した円弧状の部材であり、導光及び透視用のプリズム部（導光部材）と、透視用の光透過部（光透過部材）とを含む。第１光学パネル１１１及び第２光学パネル１１２は、可視域で高い光透過性を示す樹脂材料で形成されており、例えば金型内に熱可塑性樹脂を注入・固化させることにより成形されている。第１光学パネル１１１及び第２光学パネル１１２において、プリズム部は画像光の導波及び射出を可能にすると共に外界光の透視を可能にし、光透過部は可視域で高い光透過性を有する。
【００３４】
図中の右側の第１光学パネル１１１と第１の画像形成装置１０とを組み合わせた第１表示装置１００Ａは、左眼用の虚像を形成すると共に、単独でも虚像表示装置として機能する。また、図中の左側の第２光学パネル１１２と第２の画像形成装置９とを組み合わせた第２表示装置１００Ｂは、右眼用の虚像を形成すると共に、単独でも虚像表示装置として機能する。
【００３５】
なお、第１表示装置１００Ａを左右反転させたものが第２表示装置１００Ｂであり、第２表示装置１００Ｂは、第１表示装置１００Ａと同じ構造（構成）を有している。同様に、第１の画像形成装置１０を左右反転させたものが第２の画像形成装置９であり、第２の画像形成装置９は、第１の画像形成装置１０と同じ構造（構成）を有している。
【００３６】
筐体１２１は、Ｕ字状に折れ曲がった細長い板状の部材である。筐体１２１は、第１光学パネル１１１及び第２光学パネル１１２と、第１の画像形成装置１０及び第２の画像形成装置９とを保持する。筐体１２１は、図中の左右に延びたフレーム１２１Ａと、該フレーム１２１Ａの左右両端から後方に延びたツル部１２１Ｂとを有している。
以降の説明では、フレーム１２１Ａに沿った方向をＸ方向とし、ツル部１２１Ｂに沿った方向をＹ方向とし、Ｘ方向及びＹ方向に直交する方向をＺ方向とする。
なお、Ｘ方向は、本発明における「第１の方向」の一例である。
【００３７】
フレーム１２１Ａ及びツル部１２１Ｂは、熱を伝えやすく軽い材料で構成されている。フレーム１２１Ａ及びツル部１２１Ｂは、例えば、アルミニウム、アルミニウム合金、マグネシウム、マグネシウム合金などの軽金属材料で構成されている。
フレーム１２１Ａは、光学パネル１１１，１１２を所定位置にアライメントした状態で保持する。ツル部１２１Ｂは、画像形成装置９，１０を所定位置にアライメントした状態で保持する。なお、ツル部１２１Ｂは、ヒンジ構造を有していてもよく、この場合、ツル部１２１Ｂの折り畳みが可能になる。
【００３８】
フレーム１２１Ａには、光学パネル１１１，１１２の下辺部を保護するためのプロテクター１０８が設けられている。プロテクター１０８には、パッド状の鼻当て部材１０８ａがそれぞれ形成されている。プロテクター１０８は、２段のクランク状に折れ曲がった細長い板状の部材であり、金属材料又は樹脂材料で形成された一体部品である。
【００３９】
画像形成装置９，１０は、画像表示装置１１と、パネルケース９０と、投射光学系１２と、鏡筒５１と、外装ケース１３とを有している。
詳細は後述するが、画像表示装置１１は、本発明における「表示部」の一例であり、パネルケース９０の中に収納され、画像光を投射光学系１２の側に出力（射出）する。
【００４０】
投射光学系１２は、鏡筒５１によって保持されている。投射光学系１２は、画像表示装置１１から出力された画像光を平行状態の光束に変換するコリメートレンズである。
外装ケース１３は、パネルケース９０（画像表示装置１１）や鏡筒５１（投射光学系１２）を収納する部材（筐体）である。外装ケース１３は、熱を伝えにくい材料で構成されている。外装ケース１３は、例えば、ポリオレフィン、フッ素系樹脂、アクリル、塩化ビニル、ポリエステル、ポリスチレン、ＡＢＳ樹脂などの樹脂材料で構成されている。
【００４１】
外装ケース１３は、ツル部１２１Ｂの一部を覆うように配置され、ツル部１２１Ｂに保持されている。外装ケース１３は、内面側部品１３Ａと外面側部品１３Ｂとが嵌合することで構成されている。内面側部品１３Ａは、装着者Ｍの側に配置され、装着者Ｍに接触する面１３−１Ａを有している。
なお、面１３−１Ａは、本発明における「人体に対する接触面」の一例である。
【００４２】
かかる構成によって、画像形成装置９，１０で発せられた画像光は、第１光学パネル１１１及び第２光学パネル１１２で導光され、装着者Ｍの眼に入射する。さらに、外界光は、第１光学パネル１１１及び第２光学パネル１１２を通過し、装着者Ｍの眼に入射する。その結果、装着者Ｍは、画像光による虚像と、外界光による外界像（実像）とを重畳させて認識することができる。
【００４３】
図３に示すように、画像表示装置１１は、有機エレクトロルミネッセンス（以降、有機ＥＬと称す）表示装置３０とフレキシブル基板（以下、ＦＰＣと称す）７５とを有している。
【００４４】
鏡筒５１は、一対の下側凸部５１ａと、上側凸部５１ｂとを有する。鏡筒５１は、例えば、熱伝導フィラーを含有した樹脂成型部品（熱伝導性を有する樹脂材料）で構成されている。すなわち、鏡筒５１は、熱を伝えやすい材料で構成され、全体として熱伝導性を有している。
鏡筒５１は、Ｚ方向に取付部５２を有している。鏡筒５１は、取付部５２を介してツル部１２１Ｂに固定されている。また、取付部５２とツル部１２１Ｂとの間には、熱伝導性接着剤８３が配置されている。これにより、鏡筒５１からツル部１２１Ｂ及びフレーム１２１Ａ（筐体１２１）に、熱が良好に伝達（伝搬）されるようになっている。
【００４５】
パネルケース９０は、鏡筒５１と同様に、熱伝導フィラーを含有した樹脂成型部品（熱伝導性を有する樹脂材料）で構成されている。すなわち、パネルケース９０は、熱を伝えやすい材料で構成され、全体として熱伝導性を有している。
パネルケース９０は、鏡筒５１の下側凸部５１ａに対応する下側凹部９０ａと、鏡筒５１の上側凸部５１ｂに対応する上側凹部９０ｂと、有機ＥＬ表示装置３０を収納する凹部９５とを有している。
【００４６】
有機ＥＬ表示装置３０は、熱伝導性接着剤８３を介してパネルケース９０の凹部９５の中に接着（収納）されている。ＦＰＣ７５の一方の端部は、有機ＥＬ表示装置３０に接続されている。ＦＰＣ７５の他方の端部は、パネルケース９０の外側（Ｚ（−）方向）に引き出され、電源部（不図示）に接続されている。
【００４７】
熱伝導性接着剤８３は、例えば、酸化ケイ素や酸化アルミニウム等の熱伝導フィラーを含有する。
なお、鏡筒５１とツル部１２１Ｂとの接続、及びパネルケース９０と有機ＥＬ表示装置３０との接続は、熱伝導性接着剤８３の他に、放熱シートあるいは放熱グリースを用いてもよい。
【００４８】
有機ＥＬ表示装置３０を保持したパネルケース９０と鏡筒５１とは、下側凹部９０ａ及び下側凸部５１ａと上側凹部９０ｂ及び上側凸部５１ｂとがそれぞれ嵌合することで一体化される。パネルケース９０及び鏡筒５１との間（嵌合部分の隙間）は熱伝導性接着剤（不図示）により互いに固定されている。これにより、有機ＥＬ表示装置３０の熱は、パネルケース９０と、鏡筒５１とを経由して、ツル部１２１Ｂ及びフレーム１２１Ａに、熱が良好に伝達（伝搬）されるようになっている。
なお、パネルケース９０及び鏡筒５１の構成材料は、熱を伝えやすく軽い材料であればよく、上述した熱伝導性を有する樹脂材料の他に、例えばアルミニウム、アルミニウム合金、マグネシウム、マグネシウム合金などの軽金属材料であってもよい。
【００４９】
「有機ＥＬ表示装置の概要」
図４は、画像表示装置（有機ＥＬ表示装置）の概略平面図である。図５は、有機ＥＬ表示装置の電気的な構成を示す等価回路図である。なお、図４及び図５では、説明に必要な構成要素が図示され、説明に不必要な構成要素の図示が省略されている。
次に、図４及び図５を参照して、有機ＥＬ表示装置３０の概要を説明する。
【００５０】
図４に示すように、画像表示装置１１は、有機ＥＬ表示装置３０と、ＦＰＣ７５とを有している。ＦＰＣ７５は、有機ＥＬ表示装置３０の端部に設けられた外部接続用端子３７に接続されている。
【００５１】
有機ＥＬ表示装置３０は、素子基板３１と、封止基板３２とを有しており、両基板は、樹脂層（図示省略）によって接着されている。
【００５２】
素子基板３１には、表示領域Ｅにマトリックス状に配置された複数の画素Ｐ、複数の画素Ｐを駆動する駆動回路（データ線駆動回路３５、走査線駆動回路３６）、外部接続用端子３７などが形成されている。詳しくは、素子基板３１は、画素Ｐ、データ線駆動回路３５、走査線駆動回路３６、及び外部接続用端子３７などが形成された半導体基板（シリコン基板）である。つまり、素子基板３１は、半導体基板（シリコン基板）で構成され、熱伝導性に優れている。
このように、画像表示装置１１（有機ＥＬ表示装置３０）は、画素Ｐと、画素Ｐを駆動する駆動回路（データ線駆動回路３５、走査線駆動回路３６）とを有している。
【００５３】
素子基板３１の第１辺に沿って、複数の外部接続用端子３７が配列されている。複数の外部接続用端子３７と表示領域Ｅとの間には、データ線駆動回路３５が配置されている。該第１辺と直交し互いに対向する他の第２辺、第３辺と表示領域Ｅとの間には、走査線駆動回路３６が配置されている。
【００５４】
封止基板３２は、素子基板３１よりも小さく、外部接続用端子３７が露出されるように配置されている。封止基板３２は、透光性の絶縁基板であり、石英基板やガラス基板や樹脂基板などを使用することができる。封止基板３２は、表示領域Ｅに配置された後述する有機ＥＬ素子４５（図５参照）が傷つかないように保護する役割を有し、表示領域Ｅよりも広く設けられている。また、封止基板３２は、有機ＥＬ表示装置３０における画像光を発する側の面となる。
なお、封止基板３２の素子基板３１と反対側の面には、有機ＥＬ表示装置３０を保護する保護ガラスを配置してもよい。
【００５５】
図５に示すように、有機ＥＬ表示装置３０は、互いに交差する複数の走査線３３及び複数のデータ線３８と、複数のデータ線３８のそれぞれに対して並列する複数の電源線３９とを有している。走査線３３は走査線駆動回路３６に接続され、データ線３８はデータ線駆動回路３５に接続されている。また、複数の走査線３３と複数のデータ線３８との各交差部に対応して、画素Ｐがマトリックス状に配置されている。
【００５６】
画素Ｐは、発光素子である有機ＥＬ素子４５と、有機ＥＬ素子４５の駆動（発光）を制御する画素回路４０とを有している。
【００５７】
有機ＥＬ素子４５は、陽極として機能する画素電極４６と、陰極として機能する対向電極４８と、画素電極４６と対向電極４８との間に設けられた有機発光層を含む発光機能層４７とを有している。このような有機ＥＬ素子４５は、電気的にダイオードとして表記することができ、有機ＥＬ素子４５に流れる電流によって、発光機能層４７が発光する。詳しくは、画素電極４６から発光機能層４７に正孔が供給され、対向電極４８から発光機能層４７に電子が供給され、正孔と電子とが発光機能層４７で結合し、発光機能層４７が発光する。
【００５８】
画素回路４０は、スイッチング用トランジスター４１と、蓄積容量４２と、駆動用トランジスター４３とを含んでいる。二つのトランジスター４１，４３は、例えばｎチャネル型もしくはｐチャネル型のトランジスターなどを用いて構成することができる。
【００５９】
スイッチング用トランジスター４１のゲートは、走査線３３に接続されている。スイッチング用トランジスター４１のソースまたはドレインのうち一方は、データ線３８に接続されている。スイッチング用トランジスター４１のソースまたはドレインのうち他方は、駆動用トランジスター４３のゲートに接続されている。
【００６０】
駆動用トランジスター４３のソースまたはドレインのうち一方は、有機ＥＬ素子４５の画素電極４６に接続されている。駆動用トランジスター４３のソースまたはドレインのうち他方は、電源線３９に接続されている。駆動用トランジスター４３のゲートと電源線３９との間には、蓄積容量４２が接続されている。
【００６１】
走査線３３が駆動されてスイッチング用トランジスター４１がオン状態になると、そのときにデータ線３８から供給される画像信号に基づく電位がスイッチング用トランジスター４１を介して蓄積容量４２に保持される。該蓄積容量４２の電位すなわち駆動用トランジスター４３のゲート電位に応じて、駆動用トランジスター４３のオン・オフ状態が決まる。そして、電源線３９から駆動用トランジスター４３を介して、画素電極４６と対向電極４８とで挟まれた発光機能層４７に、ゲート電位に応じた量の電流が流れる。有機ＥＬ素子４５は、発光機能層４７に流れる電流量に応じて発光する。
【００６２】
走査線駆動回路３６は、スイッチング用トランジスター４１のオン・オフを制御する走査信号を供給する。データ線駆動回路３５は、有機ＥＬ素子４５が発光するための電流を制御する。このため、データ線駆動回路３５には、走査線駆動回路３６と比べて、大きな電流が流れるので、当該電流によって発熱する。さらに、有機ＥＬ素子４５も、有機ＥＬ素子４５に流れる電流によって発熱する。データ線駆動回路３５は、複数の有機ＥＬ素子４５に流れる電流の全体を制御するので、単体の有機ＥＬ素子４５に流れる電流と比べて大きな電流が流れ、単体の有機ＥＬ素子４５よりも発熱量が大きい。
【００６３】
データ線駆動回路３５で発した熱は、熱伝導性に優れた素子基板３１の母材（シリコン基板）を経由して、有機ＥＬ素子４５に伝達される。つまり、有機ＥＬ素子４５は、有機ＥＬ素子４５に流れる電流による発熱以外に、データ線駆動回路３５の発熱の影響を受け、有機ＥＬ素子４５の温度が上昇するおそれがある。有機ＥＬ素子４５の発光機能層４７の温度が上昇すると、有機ＥＬ素子４５の発光機能層４７の劣化が加速するため、有機ＥＬ素子４５の寿命が短くなるおそれがある。
【００６４】
データ線駆動回路３５や有機ＥＬ素子４５で発した熱は、熱伝導性に優れた素子基板３１の母材（シリコン基板）と、パネルケース９０と、鏡筒５１とを経由して、ツル部１２１Ｂ及びフレーム１２１Ａに良好に伝達されるようになっている。
ツル部１２１Ｂ及びフレーム１２１Ａを熱の放熱部とすることで、データ線駆動回路３５や有機ＥＬ素子４５で発した熱の影響を小さくすることができる。すなわち、有機ＥＬ素子４５の温度上昇を抑制し、有機ＥＬ素子４５の劣化を抑制し、有機ＥＬ表示装置３０（虚像表示装置１００）の信頼性を高めることができる。
【００６５】
データ線駆動回路３５や有機ＥＬ素子４５で発した熱は、熱伝導性に優れた素子基板３１の母材（シリコン基板）と、パネルケース９０と、外装ケース１３とを経由して、装着者Ｍにも伝達され、装着者Ｍが熱による不快感を覚えるおそれがある。上述したように、外装ケース１３は、熱を伝えにくい材料で構成されている。つまり、外装ケース１３の熱伝導率は、パネルケース９０の熱伝導率よりも小さく、外装ケース１３は、パネルケース９０と比べて熱を伝えにくい。従って、データ線駆動回路３５や有機ＥＬ素子４５で発した熱は、ツル部１２１Ｂ及びフレーム１２１Ａと比べて、装着者Ｍに伝達されにくい。
【００６６】
さらに、本実施形態では、データ線駆動回路３５や有機ＥＬ素子４５で発した熱が、装着者Ｍにさらに伝達されにくくなる優れた構成（特徴）を有している。かかる構成（特徴）によって、装着者Ｍが熱による不快感を覚えるなどの装着者Ｍに対する熱の影響を抑制することができる。
以下に、データ線駆動回路３５や有機ＥＬ素子４５で発した熱が、装着者Ｍにさらに伝達されにくくなる本実施形態の特徴を説明する。
【００６７】
「本実施形態の特徴」
図６は、第１の画像形成装置が設けられた側の状態を示す模式図である。図６は、虚像表示装置１００を装着した装着者ＭをＺ（＋）方向から見た模式図であり、外装ケース１３とパネルケース９０との関係が図示されている。
上述したように、第２の画像形成装置９は、第１の画像形成装置１０と同じ構造（構成）を有しているので、第２の画像形成装置９が設けられた側の説明を省略し、第１の画像形成装置１０が設けられた側で本実施形態の特徴を説明する。
【００６８】
図６に示すように、外装ケース１３は、Ｘ方向に沿って壁１３−１と、壁１３−３とが順に配置されている。壁１３−１は、装着者Ｍに接触する面１３−１Ａを有している。壁１３−１は外装ケース１３の内面側部品１３Ａの構成要素であり、壁１３−３は外装ケース１３の外面側部品１３Ｂの構成要素である。
なお、壁１３−１は、本発明における「第１の壁」の一例である。壁１３−３は、本発明における「第２の壁」の一例である。さらに、以降の記述では、面１３−１Ａを接触面１３−１Ａと称す。
【００６９】
パネルケース９０は、壁１３−１と壁１３−３との間に配置されている。パネルケース９０は、壁１３−１と離れて配置され、壁１３−１とパネルケース９０との間に第１の空間１が形成されている。パネルケース９０は、壁１３−３と離れて配置され、壁１３−３とパネルケース９０との間に第２の空間２が形成されている。
すなわち、接触面１３−１Ａとパネルケース９０との間には、一つの空間（第１の空間１）が配置されている。
【００７０】
第１の空間１及び第２の空間２には、大気圧の空気が充填されている。換言すれば、壁１３−１とパネルケース９０との間、及び壁１３−３とパネルケース９０との間には、大気圧の空気が充填されている。
【００７１】
上述したように、データ線駆動回路３５や有機ＥＬ素子４５で発した熱は、パネルケース９０に伝達される。パネルケース９０に伝達された熱が、壁１３−１及び接触面１３−１Ａに伝導されにくくすることが重要である。つまり、高温部（パネルケース９０）から、低温部（壁１３−１及び接触面１３−１Ａ）への熱の伝導を小さくすることが重要である。
【００７２】
高温部（パネルケース９０）から低温部（壁１３−１及び接触面１３−１Ａ）への熱の移動は、媒体による熱の伝導、媒体の循環（対流）による熱の伝導、及び輻射による熱の伝導によって生じる。よって、高温部（パネルケース９０）から低温部（壁１３−１及び接触面１３−１Ａ）への熱の移動を小さくするためには、媒体による熱の伝導、媒体の循環（対流）による熱の伝導、及び輻射による熱の伝導を小さくすることが重要である。
【００７３】
本実施形態では、熱の伝導が生じる媒体は、大気圧の空気を含んでいる。大気圧の空気の熱伝導率の値は、常温で０．０２６Ｗ／ｍＫである。壁１３−１及び壁１３−３を構成する樹脂の熱伝導率の値は、常温で概略０．２Ｗ／ｍＫ〜０．３Ｗ／ｍＫである。大気圧の空気の熱伝導率は、樹脂の熱伝導率と比べて極めて小さい。すなわち、パネルケース９０と壁１３−１との間に空間（第１の空間１）を設け、当該空間の中に大気圧の空気（熱伝導率が小さい媒体）を充填することで、媒体による熱の伝導が極めて小さくなり、高温部（パネルケース９０）から低温部（壁１３−１及び接触面１３−１Ａ）への熱の移動を小さくすることができる。
【００７４】
なお、パネルケース９０の熱は、壁１３−３（外面側部品１３Ｂ）に伝達され、外面側部品１３Ｂ（壁１３−３）を経由して内面側部品１３Ａ（壁１３−１及び接触面１３−１Ａ）に伝達される。パネルケース９０と壁１３−３との間に第２の空間２が設けられ、第２の空間２の中に大気圧の空気（熱伝導率が小さい媒体）が充填されているので、壁１３−３に対してもパネルケース９０の熱が伝導されにくい。よって、パネルケース９０の熱は、外面側部品１３Ｂ（壁１３−３）を経由して、内面側部品１３Ａ（壁１３−１及び接触面１３−１Ａ）に伝達されにくい。
【００７５】
壁１３−１とパネルケース９０との間の距離αは、壁１３−３とパネルケース９０との間の距離βよりも大きい。換言すれば、第１の空間１のＸ方向の寸法αは、第２の空間２のＸ方向の寸法βよりも大きい。さらに、壁１３−１とパネルケース９０との間の距離αは、１２ｍｍ以下である。
【００７６】
壁１３−１とパネルケース９０との間の距離αが１２ｍｍよりも大きくなると、第１の空間１に充填された大気圧の空気に対流（循環）が生じ、当該空気の対流（循環）によってパネルケース９０の熱が壁１３−１及び接触面１３−１Ａに伝達されやすくなる。
【００７７】
本実施形態では、壁１３−１とパネルケース９０との間の距離αは１２ｍｍ以下であり、大気圧の空気の対流（循環）が生じにくいので、媒体の循環（対流）による熱の伝導が小さくなり、高温部（パネルケース９０）から低温部（壁１３−１及び接触面１３−１Ａ）への熱の移動を小さくすることができる。
従って、壁１３−１とパネルケース９０との間の距離αは、１２ｍｍ以下であることが好ましい。
【００７８】
輻射による熱の伝導は、高温部（パネルケース９０）と低温部（壁１３−１及び接触面１３−１Ａと）との間の距離の２乗に反比例する。つまり、高温部と低温部との間の距離が大きくなると輻射による熱の伝導の影響が小さくなり、高温部と低温部との間の距離が小さくなると輻射による熱の伝導の影響が大きくなる。本実施形態では、壁１３−１とパネルケース９０との間の距離αは、壁１３−３とパネルケース９０との間の距離βよりも大きいので、距離αが距離βよりも小さい場合と比べて、輻射による熱の伝導の影響を小さくすることができる。
【００７９】
なお、高温部（パネルケース９０）から低温部（壁１３−１及び接触面１３−１Ａと）への熱の移動は、媒体による熱の伝導の影響が最も大きい。従って、高温部（パネルケース９０）と低温部（壁１３−１及び接触面１３−１Ａと）との間に空間（第１の空間１）を設け、当該空間の中に熱伝導率が小さい媒体（大気圧の空気）を充填し、媒体による熱の伝導の影響を小さくすることが最も重要である。すなわち、高温部（パネルケース９０）から低温部（壁１３−１及び接触面１３−１Ａと）への熱の移動を抑制するために、高温部（パネルケース９０）と低温部（壁１３−１及び接触面１３−１Ａと）との間に空間を設けると顕著な効果（断熱効果）を奏することができる。
【００８０】
以上述べたように、本実施形態では下記に示す特徴によって、高温部（パネルケース９０）から低温部（壁１３−１及び接触面１３−１Ａと）への熱の伝導をさらに小さくし、人体に対する熱の影響をさらに抑制することができる。つまり、頭部に装着して使用する際に、温度上昇による不快感を抑制することが可能となり、装着感を損なうことなく、快適性を確保することができる。なお、装着感は、個人差があり、装着中に温度が高くなっても違和感を覚えない人もいるが、側頭部への温度の伝達が少ない、換言すれば、使用時の温度変化が少ない方がより好ましいという観点で課題認識している。
【００８１】
１）高温部（パネルケース９０）と低温部（壁１３−１及び接触面１３−１Ａ）との間に空間（第１の空間１）を設け、当該空間の中に熱伝導率が小さい材料（大気圧の空気）を充填することによって、壁１３−１及び接触面１３−１Ａに対して媒体による熱の伝導を小さくすることができる。
【００８２】
２）壁１３−１とパネルケース９０との間の距離αを１２ｍｍ以下とし、第１の空間１に充填された空気の対流を生じにくくすることで、壁１３−１及び接触面１３−１Ａに対して媒体の循環（対流）による熱の伝導を小さくすることができる。
【００８３】
３）壁１３−１とパネルケース９０との間の距離αを、壁１３−３とパネルケース９０との間の距離βよりも大きくすることで、壁１３−１及び接触面１３−１Ａに対して輻射による熱の伝導を小さくすることができる。
【００８４】
４）媒体による熱の伝導、媒体の循環（対流）による熱の伝導、及び輻射による熱の伝導を小さくすることで、高温部（パネルケース９０）から低温部（壁１３−１及び接触面１３−１Ａと）への熱の移動を小さくし、接触面１３−１Ａの温度上昇を抑制することができる。
【００８５】
（実施形態２）
「虚像表示装置の概要」
図７は、図６に対応する図であり、実施形態２に係る虚像表示装置の第１の画像形成装置が設けられた側の状態を示す模式図である。また、図７では、外装ケース１３のＹ方向側の端部の状態も図示されている。
【００８６】
本実施形態に係る虚像表示装置は、第１の画像形成装置１０が壁１３−１とパネルケース９０との間に、壁１３−２を有している。この点が、本実施形態に係る虚像表示装置と実施形態１に係る虚像表示装置１００との相違点である。他の構成は、本実施形態に係る虚像表示装置及び実施形態１に係る虚像表示装置１００で同じである。
以下、図７を参照して、本実施形態に係る虚像表示装置を、実施形態１に係る虚像表示装置１００との相違点を中心に説明する。また、実施形態１と同一の構成部位については、同一の符号を附し、重複する説明を省略する。
【００８７】
図７に示すように、外装ケース１３は、装着者Ｍと接した部分からＸ方向に沿って、壁１３−１と、壁１３−２と、壁１３−３とが順に配置されている。壁１３−１及び壁１３−２のＹ方向側の端部には、壁１３−４が配置されている。壁１３−３のＹ方向側の端部には、壁１３−５が配置されている。
なお、壁１３−１は本発明における「第１の壁」の一例であり、壁１３−２は本発明における「第３の壁」の一例であり、壁１３−３は本発明における「第２の壁」の一例である。
【００８８】
壁１３−１と壁１３−２と壁１３−４とは、外装ケース１３の内面側部品１３Ａの構成要素である。壁１３−３と壁１３−５とは、外装ケース１３の外面側部品１３Ｂの構成要素である。
【００８９】
パネルケース９０は、壁１３−２と壁１３−３との間に配置されている。パネルケース９０は、壁１３−２と離れて配置され、壁１３−２とパネルケース９０との間に第１の空間１が形成されている。パネルケース９０は、壁１３−３と離れて配置され、壁１３−３とパネルケース９０との間に第２の空間２が形成されている。さらに、壁１３−１と壁１３−２との間に、第３の空間３が形成されている。
すなわち、接触面１３−１Ａとパネルケース９０との間には、二つの空間（第１の空間１、第３の空間３）が配置されている。
【００９０】
壁１３−４と壁１３−５とはＸ方向に沿って配置され、壁１３−４と壁１３−５とで、パネルケース９０に対向するＸ方向に沿った面が形成されている。壁１３−４及び壁１３−５と、パネルケース９０との間に、第４の空間４が形成されている。
【００９１】
壁１３−１と壁１３−２との間の距離α１、及び壁１３−２とパネルケース９０との間の距離α２の合計は、壁１３−３とパネルケース９０との間の距離βよりも大きい。換言すれば、第３の空間３のＸ方向の寸法α１及び第１の空間１のＸ方向の寸法α２の合計は、第２の空間２のＸ方向の寸法βよりも大きい。
【００９２】
さらに、壁１３−４及び壁１３−５と、パネルケース９０との間の距離γは、壁１３−３とパネルケース９０との間の距離βよりも大きい。換言すれば、第４の空間４のＹ方向の寸法γは、第２の空間２のＸ方向の寸法βよりも大きい。
【００９３】
本実施形態では、接触面１３−１Ａとパネルケース９０との間に、第１の空間１及び第３の空間３の二つの空間が配置されている。
第１の空間１、第２の空間２、及び第４の空間４には、画像表示装置１１が配置されている。画像表示装置１１が配置された部分では、内面側部品１３Ａと外面側部品１３Ｂとの嵌合部、及びＦＰＣ７５の引き出し部などによって、画像表示装置１１が配置されている空間（第１の空間１、第２の空間２、第４の空間４）の気密性を高めることが難しい。
このため、第１の空間１、第２の空間２、及び第４の空間４には、大気圧の空気が充填されている。換言すれば、壁１３−２とパネルケース９０との間、壁１３−３とパネルケース９０との間、及び壁１３−４及び壁１３−５とパネルケース９０との間には、大気圧の空気が充填されている。
【００９４】
第３の空間３は、壁１３−１、壁１３−２、及び壁１３−４などで囲まれた空間であり、画像表示装置１１が配置されていない。第３の空間３には、嵌合部やＦＰＣ７５の引き出し部などが設けられていないので、第３の空間３の気密性を高めることができる。その結果、第３の空間３には、減圧された空気が充填されている。
【００９５】
減圧された空気の熱伝導率は大気圧の空気の熱伝導率よりも小さいので、高温部（パネルケース９０）と低温部（壁１３−１及び接触面１３−１Ａ）との間に設けられた空間（第３の空間３）に減圧された空気を充填することによって、実施形態１と比べて媒体による熱の伝導をさらに小さくし、高温部（パネルケース９０）から低温部（壁１３−１及び接触面１３−１Ａ）への熱の移動をさらに小さくすることができる。
【００９６】
壁１３−１と壁１３−２との間の距離α１、及び壁１３−２とパネルケース９０との間の距離α２の合計は、壁１３−３とパネルケース９０との間の距離βよりも大きいので、距離α１及び距離α２の合計が距離βよりも小さい場合と比べて、輻射による熱の伝導を小さくすることができる。
【００９７】
例えば、パネルケース９０の熱は、壁１３−４及び壁１３−５を経由して壁１３−１及び接触面１３−１Ａに伝達される。パネルケース９０と壁１３−４及び壁１３−５との間に第４の空間４が設けられているので、壁１３−４及び壁１３−５に対してもパネルケース９０の熱が伝達されにくい。
【００９８】
さらに、パネルケース９０と壁１３−４及び壁１３−５との間の距離γは、パネルケース９０と壁１３−３との間の距離βよりも大きいので、距離γが距離βよりも小さい場合と比べて輻射による熱の伝導の影響を小さくし、パネルケース９０の熱が壁１３−４及び壁１３−５に伝導されにくい。
【００９９】
このように、本実施形態では、高温部（パネルケース９０）と低温部（壁１３−１及び接触面１３−１Ａ）との間に減圧された空気が充填された空間（第３の空間３）を設けることによって、実施形態１と比べて高温部（パネルケース９０）から低温部（壁１３−１及び接触面１３−１Ａ）への熱の移動をさらに小さくし、人体に対する熱の影響をさらに抑制することができる。
【０１００】
本発明は、上記実施形態に限られるものではなく、請求の範囲及び明細書全体から読み取れる発明の要旨あるいは思想に反しない範囲で適宜変更可能であり、そのような変更を伴う電気光学装置及び該電気光学装置が搭載された電子機器もまた本発明の技術的範囲に含まれる。上記実施形態以外にも様々な変形例が考えられる。以下、変形例を挙げて説明する。
【０１０１】
（変形例１）
図８は、図７に対応する図であり、変形例１に係る虚像表示装置の第１の画像形成装置が設けられた側の状態を示す模式図である。
図８に示すように、第３の空間３は、実施形態２における壁１３−１と壁１３−２と壁１３−４とが一体化した部材１４の中に形成されている。なお、部材１４は、内面側部品１３Ａの構成要素である。
【０１０２】
一体化した部材１４の中に、第３の空間３を形成することによって、第３の空間３の気密性を高めることができる。つまり、第３の空間３を形成する部材１４の気密性を高めることによって、第３の空間３に充填された減圧された空気の圧力変化を抑制し、第３の空間３の優れた断熱性を維持することができる。
【０１０３】
（変形例２）
図９は、図６に対応する図である。図１０は、図７に対応する図である。つまり、図９及び図１０は、変形例２に係る虚像表示装置の第１の画像形成装置１０が設けられた側の状態を示す模式図である。
【０１０４】
図９に示すように、壁１３−３は、パネルケース９０に接している。図１０に示すように、壁１３−３は、パネルケース９０に接していている。すなわち、壁１３−３とパネルケース９０との間の距離β（図６、図７参照）は、０ｍｍであってもよい。
【０１０５】
例えば、図１０において、パネルケース９０の熱は、壁１３−３と壁１３−５と壁１３−４とを介した熱の伝導によって、壁１３−１及び接触面１３−１Ａに伝達される。さらに、壁１３−３と壁１３−５と壁１３−４とは、熱が伝わりにくい材料で構成されている。つまり、壁１３−３と壁１３−１との間に、熱が伝わりにくい材料で構成された媒体（壁１３−４、壁１３−５）が配置され、熱を伝える媒体の経路（寸法）が長くなっているので、壁１３−３がパネルケース９０に接しても、パネルケース９０の熱は、壁１３−５及び壁１３−４の熱の伝導によって、壁１３−１及び接触面１３−１Ａに伝達されにくい。
従って、壁１３−３とパネルケース９０との間の距離βは、０ｍｍ以上であることが好ましい。さらに、壁１３−３とパネルケース９０との間の距離βを０ｍｍとすると、壁１３−３とパネルケース９０との間の距離βが０ｍｍよりも大きい場合と比べて、外疎ケース１３のＸ方向寸法を小さくし、外装ケース１３の薄型化を図ることができる。
【０１０６】
さらに、壁１３−３の構成材料を、パネルケース９０と同じ熱を伝えやすい材料で構成することで、壁１３−３を熱の放熱部として活用することができる。
【０１０７】
（変形例３）
実施形態１では、接触面１３−１Ａとパネルケース９０との間に、一つの空間（第１の空間１）が配置されていた（図６参照）。実施形態２では、接触面１３−１Ａとパネルケース９０との間に、二つの空間（第１の空間１、第３の空間３）が配置されていた（図７参照）。接触面１３−１Ａとパネルケース９０との間に配置される空間の数は、二つよりも多くてもよい。すなわち、接触面１３−１Ａとパネルケース９０との間には、少なくとも一つの空間が配置されていればよい。
【０１０８】
（変形例４）
画像表示装置１１が配置されている空間は、内面側部品１３Ａ及び外面側部品１３Ｂの嵌合部、及びＦＰＣ７５の引き出し部などによって気密性を高めることが難しいので、大気圧の空気が充填されていた。すなわち、実施形態１では、画像表示装置１１が配置されている空間（第１の空間１、第２の空間２）に、大気圧の空気が充填されていた。実施形態２では、画像表示装置１１が配置されている空間（第１の空間１、第２の空間２、第４の空間４）に、大気圧の空気が充填されていた。
【０１０９】
内面側部品１３Ａ及び外面側部品１３Ｂの嵌合部、及びＦＰＣ７５の引き出し部などを、例えばシール材等で気密封止し、画像表示装置１１が配置されている空間に減圧された空気を充填する構成であってもよい。
さらに、実施形態２の第３の空間３に大気圧の空気を充填してもよい。
すなわち、実施形態１において、第１の空間１及び第２の空間２には、大気圧の空気または減圧された空気のいずれかが充填されていればよい。実施形態２において、第１の空間１、第２の空間２、第３の空間３、及び第４の空間４には、大気圧の空気または減圧された空気のいずれかが充填されていればよい。
【０１１０】
（変形例５）
上述したように、画像形成装置９，１０は、接触面１３−１Ａの温度上昇が抑制される。従って、画像形成装置９，１０が適用された電子機器は、接触面の温度上昇が抑制され、例えば温度上昇による不快感を抑制することができる。
さらに、画像形成装置９，１０が適用される電子機器は、虚像表示装置１００（ヘッドマウントディスプレイ）に限定されない。例えば、ウエアラブルコンピューター、ウエアラブルフォン、ウエアラブルウオッチなどの人体に着脱可能な電子機器の表示部に、画像形成装置９，１０を適用させることができる。
【０１１１】
（変形例６）
図２を用いて説明する。
上記実施形態、および変形例では、人体（被装着者）側の壁１３−１が側頭部に接触するものとして説明したが、この構成に限定するものではなく、壁１３−１が側頭部から離間していても良い。換言すれば、被装着者側に位置する壁１３−１と、側頭部との間に隙間がある構成としても良い。例えば、図２では、箱状をなした第１の画像形成装置１０がフレーム１２１の内側に張り出した構成となっているが、フレーム１２１の外側に張り出す構成としても良い。第２の画像形成装置９についても同様である。
この構成であっても、虚像表示装置１００は、眼鏡と同様に、被装着者の鼻に掛る鼻当て部材１０８ａと、耳に掛るツル部１２１Ｂとによって頭部に搭載されるため、装着性に支障はない。さらに、発熱部である画像形成装置９，１０と、側頭部との間に隙間が形成され、この隙間が断熱空間（断熱部）として機能するため、より側頭部への熱の伝播を低減することができる。
【符号の説明】
【０１１２】
１…第１の空間、２…第２の空間、３…第３の空間、９…第２の画像形成装置、１０…第１の画像形成装置、１１…画像表示装置、１２…投射光学系、１３…外装ケース、１３Ａ…内面側部品、１３Ｂ…外面側部品、１３―１…壁、１３―２…壁、１３―３…壁、１３─４…壁、１３−４…壁、１３−５…壁、１３−１Ａ…接触面、３０…有機ＥＬ表示装置、３１…素子基板、３２…封止基板、３３…走査線、３５…データ線駆動回路、３６…走査線駆動回路、３７…外部接続用端子、３８…データ線、３９…電源線、４０…画素回路、４１…スイッチング用トランジスター、４２…蓄積容量、４３…駆動用トランジスター、４５…有機ＥＬ素子、４６…画素電極、４７…発光機能層、４８…対向電極、７５…ＦＰＣ、９０…パネルケース、９０ａ…下側凹部、９０ｂ…上側凹部、９５…凹部、１００…虚像表示装置、１００Ａ…第１表示装置、１００Ｂ…第２表示装置、１０８…プロテクター、１０８ａ…鼻当て部材、１１１…第１光学パネル、１１２…第２光学パネル、１２１…筐体、１２１Ａ…フレーム、１２１Ｂ…ツル部、Ｍ…装着者、Ｅ…表示領域、Ｐ…画素。
【図１】
0006442970.tif 000002
【図２】
0006442970.tif 000003
【図３】
0006442970.tif 000004
【図４】
0006442970.tif 000005
【図５】
0006442970.tif 000006
【図６】
0006442970.tif 000007
【図７】
0006442970.tif 000008
【図８】
0006442970.tif 000009
【図９】
0006442970.tif 000010
【図１０】
0006442970.tif 000011